(57)【要約】【課題】ＩＰアドレス設定の作業工数および作業時間を低減する照明システムを提供する。【解決手段】照明システム１は、インテリジェントハブ装置２０と、ＩＰアドレス設定装置１０と、少なくとも１つの照明器具４０に接続される照明制御端末３０とを備え、前記ＩＰアドレス設定装置１０は、前記照明制御端末３０が前記インテリジェントハブ装置２０に新たに接続されたとき、当該インテリジェントハブ装置２０のＩＰアドレスと、新たに接続されたポート番号とを取得し、取得したインテリジェントハブ装置２０のＩＰアドレスとポート番号とに基づいて、新たに接続された前記照明制御端末３０に設定すべきＩＰアドレスを決定し、決定したＩＰアドレスを新たに接続された前記照明制御端末３０に設定する。【選択図】図１
2020113830.tif 000002
【特許請求の範囲】
【請求項１】
インテリジェントハブと、ＩＰアドレス設定装置と、少なくとも１つの照明器具に接続される照明制御端末とを備える照明システムであって、
前記ＩＰアドレス設定装置は、
前記照明制御端末が前記インテリジェントハブに新たに接続されたとき、当該インテリジェントハブのＩＰアドレスと、新たに接続されたポート番号とを取得し、
取得したインテリジェントハブのＩＰアドレスとポート番号とに基づいて、新たに接続された前記照明制御端末に設定すべきＩＰアドレスを決定し、決定したＩＰアドレスを新たに接続された前記照明制御端末に設定する
照明システム。
【請求項２】
前記ＩＰアドレス設定装置は、
前記インテリジェントハブのＩＰアドレスと、前記インテリジェントハブのポート番号と、設定すべきＩＰアドレスとを対応付けたＩＰアドレス設定表を予め記憶する記憶部を有し、
前記ＩＰアドレス設定表を参照することにより、前記設定すべきＩＰアドレスを決定する
請求項１に記載の照明システム。
【請求項３】
前記ＩＰアドレス設定装置は、
前記照明制御端末がインテリジェントハブに新たに接続されたときに当該インテリジェントハブから送信される第１の通知信号を受信し、
前記第１の通知信号から、送信元のインテリジェントハブの前記ＩＰアドレスと、新たに接続された前記ポート番号とを取得する
請求項１または２に記載の照明システム。
【請求項４】
前記ＩＰアドレス設定装置は、ＤＨＣＰ（Dynamic Host Configuration Protocol）サーバー機能を有し、
前記決定したＩＰアドレスをＤＨＣＰオファーパケットとして新たに接続された前記照明制御端末に送信する
請求項１、２または３に記載の照明システム。
【請求項５】
少なくとも１つの照明器具に接続される照明制御端末に、インテリジェントハブを介して、ＩＰアドレスを設定するＩＰアドレス設定装置であって、
前記インテリジェントハブに接続された通信部と、
前記照明制御端末がインテリジェントハブに新たに接続されたとき当該インテリジェントハブのＩＰアドレスと、新たに接続されたポート番号とを取得し、取得したインテリジェントハブのＩＰアドレスとポート番号とに基づいて、設定すべきＩＰアドレスを決定し、新たに接続された前記照明制御端末に決定したＩＰアドレスを前記通信部を介して設定するアドレス設定部と、を備える
ＩＰアドレス設定装置。
【請求項６】
前記インテリジェントハブのＩＰアドレスと、前記インテリジェントハブのポート番号と、設定すべきＩＰアドレスとを対応付けたＩＰアドレス設定表を予め記憶する記憶部を備え、
前記アドレス設定部は、前記ＩＰアドレス設定表を参照することにより前記設定すべきＩＰアドレスを決定する
請求項５に記載のＩＰアドレス設定装置。
【請求項７】
前記通信部は、前記照明制御端末がインテリジェントハブに新たに接続されたときに当該インテリジェントハブから送信される第１の通知信号を受信し、
前記アドレス設定部は、前記第１の通知信号から、送信元のインテリジェントハブのＩＰアドレスと、新たに接続されたポート番号とを取得する
請求項５または６に記載のＩＰアドレス設定装置。
【請求項８】
前記ＩＰアドレス設定装置は、ＤＨＣＰ（Dynamic Host Configuration Protocol）サーバー機能を有し、
前記決定したＩＰアドレスをＤＨＣＰオファーパケットとして前記新たに接続された前記照明制御端末に送信する
請求項５、６または７に記載のＩＰアドレス設定装置。
【請求項９】
少なくとも１つの照明器具に接続される照明制御端末に、インテリジェントハブを介して、ＩＰアドレスを設定するＩＰアドレス設定装置におけるＩＰアドレス設定方法であって、
前記照明制御端末がインテリジェントハブに新たに接続されたとき当該インテリジェントハブのＩＰアドレスと、新たに接続されたポート番号とを取得し、
取得したインテリジェントハブのＩＰアドレスとポート番号とに基づいて、前記ＩＰアドレス設定表を参照することにより、設定すべきＩＰアドレスを決定し、
新たに接続された前記照明制御端末に決定したＩＰアドレスを設定する
ＩＰアドレス設定方法。
【発明の詳細な説明】
【技術分野】
【０００１】
本発明は、照明制御端末にＩＰアドレスを設定する照明システム、ＩＰアドレス設定装置およびＩＰアドレス設定方法に関する。
【背景技術】
【０００２】
従来、コンサートホールの設備である照明システムでは、照明器具の調光および調色を制御するＩＰ通信機能付き照明制御端末が複数台利用される。
【０００３】
複数の照明制御端末に対し、それぞれ異なるＩＰアドレスを設定する場合、作業者が、最初に各照明制御端末のＩＰアドレスを１台ずつ設定し、その後、各設定したＩＰアドレスを用いて、各照明制御端末が制御する照明器具の機器情報を設定している。
【０００４】
例えば、特許文献１は、ｎ台の中央制御装置と、照明センター装置と、それらを接続するハブとを含む照明システムを開示している。各中央制御装置は、照明制御端末であり、照明器具の制御を行う複数の端末器に伝送ラインで接続されている。ｎ台の中央制御装置はＤＨＣＰ（Dynamic Host Configuration Protocol）サーバーからＩＰアドレスを取得するために、作業者が１台ずつ順に電源投入している。
【先行技術文献】
【特許文献】
【０００５】
【特許文献１】特開２００５−２７７５９７号公報
【発明の概要】
【発明が解決しようとする課題】
【０００６】
量産品である照明制御端末では、工場からの出荷時において、同種の照明制御端末には同一の初期ＩＰアドレスが設定されている。したがって、同種の照明制御端末を複数利用する場合、工場出荷時の初期ＩＰアドレスを用いて通信することはできない。そのため、最初に複数の照明制御端末に異なるＩＰアドレスを設定する必要がある。各照明制御端末のＩＰアドレスは、事前に作成されたＩＰアドレス設定表や仕込み図に基づき、設定される必要がある。
【０００７】
しかしながら、作業者がＩＰアドレス設定を行う際、個々の照明制御端末とＩＰアドレス設定装置とを１対１のＬＡＮ接続を順次行う必要がある。ＩＰアドレス設定後、照明制御端末をスイッチングハブにＬＡＮ接続する必要があるため、作業工数がかかるという問題がある。
【０００８】
また、演出照明業界では、多数設置されている照明器具の明るさや色・動きなどを制御するためには事前に照明器具がどの位置にあるかを正確に把握する必要がある。そのため、ＩＰアドレス設定表、仕込み図や実際の器具配置に基づき、照明器具や調光器の位置情報を一つずつ登録することにより管理を行う必要がある。この作業には非常に多くの時間を要するという問題がある。
【０００９】
本発明は、ＩＰアドレス設定の作業工数および作業時間を低減する照明システム、ＩＰアドレス設定装置およびＩＰアドレス設定方法を提供することを目的とする。
【課題を解決するための手段】
【００１０】
上記目的を達成するために、本発明の一態様に係る照明システムは、インテリジェントハブと、ＩＰアドレス設定装置と、少なくとも１つの照明器具に接続される照明制御端末とを備える照明システムであって、前記アドレス設定装置は、前記照明制御端末が前記インテリジェントハブに新たに接続されたとき、当該インテリジェントハブのＩＰアドレスと、新たに接続されたポート番号とを取得し、取得したインテリジェントハブのＩＰアドレスとポート番号とに基づいて、新たに接続された前記照明制御端末に設定すべきＩＰアドレスを決定し、決定したＩＰアドレスを新たに接続された前記照明制御端末に設定する。
【００１１】
また、本発明の一態様に係るＩＰアドレス設定装置は、少なくとも１つの照明器具に接続される照明制御端末に、インテリジェントハブを介して、ＩＰアドレスを設定するＩＰアドレス設定装置であって、前記インテリジェントハブに接続された通信部と、前記照明制御端末がインテリジェントハブに新たに接続されたとき当該インテリジェントハブのＩＰアドレスと、新たに接続されたポート番号とを取得し、取得したインテリジェントハブのＩＰアドレスとポート番号とに基づいて、設定すべきＩＰアドレスを決定し、新たに接続された前記照明制御端末に決定したＩＰアドレスを、前記通信部を介して設定するアドレス設定部と、を備える。
【００１２】
また、本発明の一態様に係るＩＰアドレス設定方法は、少なくとも１つの照明器具に接続される照明制御端末に、インテリジェントハブを介して、ＩＰアドレスを設定するＩＰアドレス設定装置におけるＩＰアドレス設定方法であって、前記照明制御端末がインテリジェントハブに新たに接続されたとき当該インテリジェントハブのＩＰアドレスと、新たに接続されたポート番号とを取得し、取得したインテリジェントハブのＩＰアドレスとポート番号とに基づいて、前記ＩＰアドレス設定表を参照することにより、設定すべきＩＰアドレスを決定し、新たに接続された前記照明制御端末に決定したＩＰアドレスを設定する。
【発明の効果】
【００１３】
本発明に係る照明システム、ＩＰアドレス設定装置およびＩＰアドレス設定方法によれば、ＩＰアドレス設定の作業工数および作業時間を低減することができる。
【図面の簡単な説明】
【００１４】
【図１】図１は、実施の形態に係る照明システムの構成例を示す図である。
【図２Ａ】図２Ａは、実施の形態に係るＩＰアドレス設定表の一例を示す図である。
【図２Ｂ】図２Ｂは、実施の形態に係るインテリジェントハブ装置の構成例を示す図である。
【図３】図３は、実施の形態に係る照明システムにおけるＩＰアドレス設定動作を示すシーケンス図である。
【図４】図４は、実施の形態に係る、テレビ局の収録スタジオにおける照明システムの部分的な配置例を示す図である。
【発明を実施するための形態】
【００１５】
以下、本発明の実施の形態について、図面を用いて詳細に説明する。なお、以下で説明する実施の形態は、いずれも本発明の好ましい一具体例を示す。以下の実施の形態で示される数値、形状、材料、構成要素、構成要素の配置位置および接続形態、ステップおよびステップの順序等は、一例であり、本発明を限定する主旨ではない。また、以下の実施の形態における構成要素のうち、本発明の最上位概念を示す独立請求項に記載されていない構成要素については、より好ましい形態を構成する任意の構成要素として説明する。また、各図は、模式図であり、必ずしも厳密な寸法を表すものではない。
【００１６】
（実施の形態）
［１  照明システム１の構成］
実施の形態における照明システムの全体構成について説明する。
【００１７】
図１は、実施の形態に係る照明システム１の構成例を示す図である。同図の照明システム１は、ＩＰアドレス設定装置１０、インテリジェントハブ装置２０、照明制御端末３０、照明器具４０および操作卓５０を備える。
【００１８】
［１．１  ＩＰアドレス設定装置１０の構成］
まず、ＩＰアドレス設定装置１０の構成例について説明する。
【００１９】
ＩＰアドレス設定装置１０は、例えば、パソコン、タブレット型端末などで構成され、照明システム１の設置段階において複数の照明制御端末３０にＩＰアドレスを設定する装置である。ＩＰアドレス設定装置１０は、インテリジェントハブ装置２０を介して複数の照明制御端末３０に接続される。なお、インテリジェントハブ装置２０は、図２Ｂに示すように、１つ以上のインテリジェントハブを備える。
【００２０】
照明システム１の設置段階において、ＩＰアドレス設定装置１０は、照明制御端末３０がインテリジェントハブ装置２０に新たに接続されたときインテリジェントハブのＩＰアドレスと、新たに接続されたポート番号とを取得し、取得したインテリジェントハブのＩＰアドレスとポート番号とに基づいて、設定すべきＩＰアドレスを決定し、新たに接続された照明制御端末３０に決定したＩＰアドレスを、前記通信部を介して設定する。
【００２１】
そのため、ＩＰアドレス設定装置１０は、通信部１１、記憶部１２、アドレス設定部１３を備える。
【００２２】
通信部１１は、インテリジェントハブ装置２０に接続され、インテリジェントハブ装置２０との間の通信と、インテリジェントハブ装置２０を介して照明制御端末３０との間の通信とを行う。照明システム１の設置段階において通信部１１は、前記照明制御端末がインテリジェントハブ装置２０に新たに接続されたときに当該インテリジェントハブ装置２０から送信される第１の通知信号を受信する。第１の通信信号は、インテリジェントハブ装置２０のＩＰアドレスと、新たに接続されたポート番号とを含む。
【００２３】
記憶部１２は、インテリジェントハブのＩＰアドレスと、前記インテリジェントハブのポート番号と、設定すべきＩＰアドレスとを対応付けたＩＰアドレス設定表を予め記憶する。
【００２４】
アドレス設定部１３は、例えば、ＣＰＵおよびメモリを含むマイコンで構成される。アドレス設定部１３は、インテリジェントハブに新たに接続されたとき第１の通信信号から、当該インテリジェントハブのＩＰアドレスと、新たに接続されたポート番号とを取得し、取得したインテリジェントハブのＩＰアドレスとポート番号とに基づいて、設定すべきＩＰアドレスを決定し、新たに接続された前記照明制御端末に決定したＩＰアドレスを前記通信部を介して設定する。
【００２５】
［１．２  インテリジェントハブ装置２０の構成］
次に、インテリジェントハブ装置２０の構成例について説明する。
【００２６】
インテリジェントハブ装置２０は、スイッチングハブにネットワーク管理機能を付加したハブをいい、通信部２１と記憶部２２を備える。ネットワーク管理機能は、例えば、ＳＮＭＰ（Simple Network Management Protocol）エージェント機能である。
【００２７】
通信部２１は、イーサネット（登録商標）ケーブルを接続するための複数のポートを備える。図１では、ポートｐ１〜Ｐｎにはｎ台の照明制御端末３０が接続され、ポートｐｘにはＩＰアドレス設定装置１０が接続され、ポートｐｙには操作卓５０が接続されている。ただし、照明システム１の設置段階の開始時点においてポートｐ１〜ｐｎは未接続である。設置段階の開始後にポートｐ１〜ｐｎには、作業者によるケーブル接続が追加されていく。
【００２８】
記憶部２２は、各ポートに接続された機器（照明制御端末３０など）のＭＡＣアドレスおよびＩＰアドレスを記憶する。
【００２９】
図２Ｂに示すように、インテリジェントハブ装置２０は、必要なポート数を確保するために、１つまたは複数のインテリジェントハブを備える。各インテリジェントハブは、ＩＰアドレスを有し、ＳＮＭＰエージェントとしてＩＰパケットを送受信する。各インテリジェントハブは、照明制御端末３０が新たに接続されたとき、新たな接続を検知して上記の第１の通信信号として、リンクアップ通知信号を送信する。
【００３０】
［１．３  照明制御端末３０の構成］
次に、照明制御端末３０の構成例について説明する。
【００３１】
照明制御端末３０は、設置段階においてＩＰアドレス設定装置１０からＩＰアドレスを設定され、運用段階において操作卓５０からの指示に従って１つ以上の照明器具４０の調光および調色を制御する。そのため、照明制御端末３０は、通信部３１、変換部３２、記憶部３３、制御部３４を備える。
【００３２】
通信部３１は、インテリジェントハブ装置２０に接続され、ＩＰパケット含むイーサネット（登録商標）フレームを送受信する。
【００３３】
変換部３２は、イーサネット（登録商標）プロトロルの通信信号とＤＭＸプロトコルの通信信号とを双方向にプロトコル変換する。変換部３２には１つ以上の照明器具４０が、例えばデイジーチェーン方式により、接続される。ＤＭＸプロトコルは、主に舞台照明やスタジオの演出照明機器等の制御に使われる通信プロトコルである。
【００３４】
記憶部３３は、照明制御端末３０に設定されたＩＰアドレスと、照明器具４０を調光および調色するための各種設定情報を記憶する。
【００３５】
制御部３４は、例えば、ＣＰＵおよびメモリを有するマイコンで構成される。設置段階において制御部３４は、ＩＰアドレス設定装置１０から設定すべきＩＰアドレスを送信されたとき記憶部３３の初期ＩＰアドレスを上書きすることにより、自身のＩＰアドレスを設定する。運用段階において制御部３４は、操作卓５０からのインテリジェントハブ装置２０および通信部３１を介して送信されるイーサネット（登録商標）プロトコルの指示を、変換部３２を介してＤＭＸプロトコルの指示に変換して１つ以上の照明器具４０に送信する。操作卓５０からの指示は、照明器具４０への調光または調色に関する指示である。
【００３６】
［１．４  照明器具４０および操作卓５０の構成］
次に、照明器具４０および操作卓５０の構成について説明する。
【００３７】
照明器具４０は、変換部３２または他の照明器具４０にデイジーチェーン接続され、ＤＭＸプロトコルによる通信信号に従って、調光および調色を行う。図１の複数の照明器具４０は、全て同じ種類でなくてもよく、異なる仕様および種類の照明器具４０が混在していてもよく、舞台照明や演出照明機器として設置される。
【００３８】
操作卓５０は、照明システム１の運用段階においてインテリジェントハブ装置２０および照明制御端末３０を介して照明器具４０の調光および調色を指示するための操作盤を有する。
【００３９】
［１．５  ＩＰアドレス設定表の一例］
続いて、ＩＰアドレス設定装置１０の記憶部１２に予め格納されるＩＰアドレス設定表の具体例について説明する。
【００４０】
図２Ａは、実施の形態に係るＩＰアドレス設定表の一例を示す図である。図２Ａは、図２Ｂに示したインテリジェントハブ装置２０の構成例に対応している。図２ＡのＩＰアドレス設定表は、「ハブ番号」、「インテリジェントハブのＩＰアドレス」、「ポート番号」、「設定すべきＩＰアドレス」、および「取付位置」を対応付けている。「ハブ番号」は、図２ＢのインテリジェントハブＨ１、Ｈ２、Ｈ３・・・の何れかを示す番号である。「インテリジェントハブのＩＰアドレス」は、当該インテリジェントハブに割り当てられたＩＰアドレスを示す。「ポート番号」は、当該インテリジェントハブのポートの番号を示す。「設定すべきＩＰアドレス」は、当該ポートに接続される照明制御端末３０に新たに設定すべきＩＰアドレスを示す。「取付位置」は、対応する照明制御端末３０が取り付けられる（舞台やスタジオの天井の）位置を示す。このようなＩＰアドレス設定表は、複数の照明制御端末３０および複数の照明器具４０の配置マップと同様に、照明システム１の設置段階に先立って予め設計者または作業者によって作成され、ＩＰアドレス設定装置１０の記憶部１２に格納される。
【００４１】
［２  ＩＰアドレス設定装置１０の動作］
続いて、照明システム１におけるＩＰアドレス設定装置１０による複数の照明制御端末３０へのＩＰアドレス設定動作について説明する。
【００４２】
図３は、実施の形態に係る照明システムにおけるＩＰアドレス設定動作を示すシーケンス図である。また、図４は、テレビ局の収録スタジオにおける照明システム１の部分的な配置例を示す図である。図４中のＬ１〜Ｌ２１等は、収録スタジオの天井に固定された、照明器具４０取付用のバトンと呼ばれる棒状の基材を示す。図２Ｂに示した「取付位置」は、図４のバトンＬ１〜Ｌ２１に対応する。
【００４３】
なお、設置段階においてインテリジェントハブＨ１〜Ｈ３・・・には予めＩＰアドレスが設定されている。また、インテリジェントハブＨ０は、照明制御端末３０を直接接続しない場合、インテリジェントハブでなくスイッチングハブであってもよい。
【００４４】
図４における、左下の照明制御端末３０がインテリジェントハブＨ１に接続された場合について説明する。
【００４５】
まず、作業者は、ＩＰアドレス設定表の「取付位置」または配置マップに従って、当該照明制御端末３０のＬＡＮケーブルをインテリジェントハブＨ１のポートｐ１に接続する。
【００４６】
照明制御端末３０とインテリジェントハブＨ１とがＬＡＮケーブルを介して接続されたとき、インテリジェントハブＨ１は、新たに照明制御端末３０が接続されたことを検知し（Ｓ１）、ＩＰアドレス設定装置１０に対し、第１の通知信号としてリンクアップ通知を送信する（Ｓ２）。
【００４７】
ＩＰアドレス設定装置１０は、リンクアップ通知に含まれるインテリジェントハブＨ１のＩＰアドレス、接続されたポート番号を取得する（Ｓ３）。ここでは、インテリジェントハブＨ１のポート１に照明制御端末３０が接続されたとする。
【００４８】
また、インテリジェントハブＨ１とＬＡＮ接続された照明制御端末３０は、ＤＨＣＰ  Ｄｉｓｃｏｖｅｒメッセージを送信し（Ｓ４）、ＤＨＣＰ  Ｄｉｓｃｏｖｅｒメッセージを受け取ったＩＰアドレス設定装置１０はＩＰアドレス設定表を参照することより設定すべきＩＰアドレスを決定し（Ｓ５）、ＤＨＣＰ  Ｏｆｆｅｒメッセージを照明制御端末３０に対し送信する（Ｓ６）。今回、インテリジェントハブＨ１のポートｐ１に接続されたため、図２Ａによれば設定すべきＩＰアドレス（１３３．１３３．１３３．１７１）を送信する。
【００４９】
さらに、ＤＨＣＰ  ｏｆｆｅｒメッセージで割り当て候補となっているＩＰアドレス（１３３．１３３．１３３．１７１）を正式に取得要求するため、照明制御端末３０はＤＨＣＰ  ＲｅｑｕｅｓｔメッセージをＩＰアドレス設定装置１０に対して送信する（Ｓ７）。ＤＨＣＰ  Ｒｅｑｕｅｓｔメッセージを受け取ったＩＰアドレス設定装置１０は、設定すべきＩＰアドレスの重複がないことを確認し（Ｓ８）、照明制御端末３０に対し、設定すべきＩＰアドレス（１３３．１３３．１３３．１７１）やサブネットマスクをＤＨＣＰ  ＡＣＫメッセージにより送信する（Ｓ９）。
【００５０】
なお、ＤＨＣＰによるＩＰアドレスには通常、貸出期間があるが、図３のＩＰアドレス設定動作では貸出期限を無期限としておけばよい。
【００５１】
以上の手順により、１台の照明制御端末３０にＩＰアドレスを設定することができる。作業者は、ＩＰアドレス設定表の「取付位置」または配置マップに従って、インテリジェントハブのポートへのＬＡＮケーブル接続を追加していけばよく、ＩＰアドレス設定装置１０は、新たに接続された照明制御端末３０にＩＰアドレスを設定するこができる。
【００５２】
このように実施の形態に係る照明システム１よれば、ＩＰアドレス設定の作業工数および作業時間を低減することができる。しかも、ＩＰアドレス設定表の「取付位置」に従って、ＬＡＮケーブル接続を順に追加していけば、配置マップにおける照明制御端末３０の位置とＩＰアドレスとも容易に対応付けることができる。
【００５３】
以上のように実施の形態１に係る照明システム１は、インテリジェントハブと、ＩＰアドレス設定装置と、少なくとも１つの照明器具に接続される照明制御端末とを備える照明システムであって、前記ＩＰアドレス設定装置は、前記照明制御端末が前記インテリジェントハブに新たに接続されたとき、当該インテリジェントハブのＩＰアドレスと、新たに接続されたポート番号とを取得し、取得したインテリジェントハブのＩＰアドレスとポート番号とに基づいて、新たに接続された前記照明制御端末に設定すべきＩＰアドレスを決定し、決定したＩＰアドレスを新たに接続された前記照明制御端末に設定する。
【００５４】
これによれば、ＩＰアドレス設定の作業工数および作業時間を低減することができる。ことができる。具体的には、作業者は、インテリジェントハブと照明制御端末とのケーブル接続を追加していけばよく、個々の照明制御端末とＩＰアドレス設定装置とを１対１のＬＡＮ接続を順次行う必要がなく、ケーブル抜き差しの回数を大きく低減することができる。
【００５５】
ここで、前記ＩＰアドレス設定装置は、前記インテリジェントハブのＩＰアドレスと、前記インテリジェントハブのポート番号と、設定すべきＩＰアドレスとを対応付けたＩＰアドレス設定表を予め記憶する記憶部を有し、前記ＩＰアドレス設定表を参照することにより、前記設定すべきＩＰアドレスを決定してもよい。
【００５６】
これによれば、ＩＰアドレス設定表を用いてインテリジェントハブのポート番号とＩＰアドレスとの対応関係を予め定めることができるので、複数の照明制御端末の実際の配置とＩＰアドレスとを容易に対応させる、操作卓の操作者は、照明制御端末がどの位置にあるかを正確に把握することができる。
【００５７】
ここで、前記ＩＰアドレス設定装置は、前記照明制御端末がインテリジェントハブに新たに接続されたときに当該インテリジェントハブから送信される第１の通知信号を受信し、前記第１の通知信号から、送信元のインテリジェントハブの前記ＩＰアドレスと、新たに接続された前記ポート番号とを取得してもよい。
【００５８】
これによれば、インテリジェントハブからの第１の通知信号を利用することにより、ＩＰアドレス設定装置１０は、照明制御端末がインテリジェントハブに新たに接続されたことを確実に検知することができる。
【００５９】
ここで、前記ＩＰアドレス設定装置は、ＤＨＣＰサーバー機能を有し、前記決定したＩＰアドレスをＤＨＣＰオファーパケットとして新たに接続された前記照明制御端末に送信してもよい。
【００６０】
これによれば、ＤＨＣＰサーバー機能を利用することができる。
【００６１】
また、実施の形態に係るＩＰアドレス設定装置１０は、なくとも１つの照明器具に接続される照明制御端末に、インテリジェントハブを介して、ＩＰアドレスを設定するＩＰアドレス設定装置であって、前記インテリジェントハブに接続された通信部と、前記照明制御端末がインテリジェントハブに新たに接続されたとき当該インテリジェントハブのＩＰアドレスと、新たに接続されたポート番号とを取得し、取得したインテリジェントハブのＩＰアドレスとポート番号とに基づいて、設定すべきＩＰアドレスを決定し、新たに接続された前記照明制御端末に決定したＩＰアドレスを前記通信部を介して設定するアドレス設定部と、を備える。
【００６２】
これによれば、ＩＰアドレス設定の作業工数および作業時間を低減することができる。ことができる。
【００６３】
ここで、前記インテリジェントハブのＩＰアドレスと、前記インテリジェントハブのポート番号と、設定すべきＩＰアドレスとを対応付けたＩＰアドレス設定表を予め記憶する記憶部を備え、前記アドレス設定部は、前記ＩＰアドレス設定表を参照することにより前記設定すべきＩＰアドレスを決定してもよい。
【００６４】
これによれば、ＩＰアドレス設定表を用いてインテリジェントハブのポート番号とＩＰアドレスとの対応関係を予め定めることができるので、複数の照明制御端末の実際の配置とＩＰアドレスとを容易に対応させることができる。
【００６５】
ここで、前記通信部は、前記照明制御端末がインテリジェントハブに新たに接続されたときに当該インテリジェントハブから送信される第１の通知信号を受信し、前記アドレス設定部は、前記第１の通知信号から、送信元のインテリジェントハブのＩＰアドレスと、新たに接続されたポート番号とを取得してもよい。
【００６６】
これによれば、インテリジェントハブからの第１の通知信号を利用することにより、ＩＰアドレス設定装置１０は、照明制御端末がインテリジェントハブに新たに接続されたことを確実に検知することができる。
【００６７】
ここで、前記ＩＰアドレス設定装置は、ＤＨＣＰサーバー機能を有し、前記決定したＩＰアドレスをＤＨＣＰオファーパケットとして前記新たに接続された前記照明制御端末に送信してもよい。
【００６８】
これによれば、ＤＨＣＰサーバー機能を利用することができる。
【００６９】
また、実施の形態に係るＩＰアドレス設定方法は、少なくとも１つの照明器具に接続される照明制御端末に、インテリジェントハブを介して、ＩＰアドレスを設定するＩＰアドレス設定装置におけるＩＰアドレス設定方法であって、前記照明制御端末がインテリジェントハブに新たに接続されたとき当該インテリジェントハブのＩＰアドレスと、新たに接続されたポート番号とを取得し、取得したインテリジェントハブのＩＰアドレスとポート番号とに基づいて、前記ＩＰアドレス設定表を参照することにより、設定すべきＩＰアドレスを決定し、新たに接続された前記照明制御端末に決定したＩＰアドレスを設定する。
【００７０】
これによれば、ＩＰアドレス設定の作業工数および作業時間を低減することができる。ことができる。
【００７１】
なお、図３に示したＩＰアドレス設定動作は、照明システム１の設置段階における動作であって、設定したＩＰアドレスの貸出期間を無期限として説明したが、これに限らない。例えば、ＩＰアドレスの貸出期限を有期限とし、照明システム１の電源投入時に図３と同様のＩＰアドレス設定動作を実行してもよい。この場合、ＩＰアドレス設定装置１０のＤＨＣＰサーバー機能においてＩＰアドレスの割り当に関して、ＩＰアドレス設定表に従う動作をすればよい。
【００７２】
インテリジェントハブ装置２０は、照明制御端末３０が新たに接続されたときに第１の通知信号としてリンクアップ通知を送信するが、ＬＡＮケーブルが新たに接続された場合だけでなく、ＬＡＮケーブルが接続された電源オフ状態の照明制御端末３０が電源オンした場合もリンクアンプ通知を送信してもよい。
【００７３】
また、図３に示したＩＰアドレス設定動作において、左側のＩＰアドレス設定装置における動作は、ＩＰアドレス設定方法に対応する。このＩＰアドレス設定方法は、プログラムとして実現することができる。つまり、ＩＰアドレス設定装置１０内の記憶部１２は、図３の左側に示したＩＰアドレス設定方法を実行するプログラムを記憶する。ＩＰアドレス設定装置１０内のアドレス設定部１３としてのＣＰＵは、記憶部１２のプログラムを実行する。
【００７４】
以上、本発明に係る照明システム、ＩＰアドレス設定装置およびＩＰアドレス設定方法について、実施の形態に基づいて説明したが、本発明は、実施の形態に限定されるものではない。本発明の主旨を逸脱しない限り、当業者が思いつく各種変形を本実施の形態に施したものや、実施の形態および変形例における一部の構成要素を任意に組み合わせて構築される別の形態も、本発明の範囲内に含まれる。
【符号の説明】
【００７５】
１  照明システム
１０  アドレス設定装置
１１  通信部
１２  記憶部
１３  アドレス設定部
２０  インテリジェントハブ装置（インテリジェントハブ）
３０  照明制御端末
４０  照明器具
【図１】
2020113830.tif 000003
【図２Ａ】
2020113830.tif 000004
【図２Ｂ】
2020113830.tif 000005
【図３】
2020113830.tif 000006
【図４】
2020113830.tif 000007